(57)【特許請求の範囲】
【請求項１】
給水管と温水管が接続された温水タンクと、
前記温水管に接続され洗浄対象に向けて洗浄水を噴出する吐出手段と、
前記洗浄水の供給制御を行う給水制御手段と、
通常の洗浄を選択設定する通常洗浄設定手段と、
便意誘発洗浄を選択設定する便意誘発洗浄設定手段と、
通常洗浄時の通常噴流と肛門の弛緩を促進する弛緩噴流および肛門内に浸入しやすい浸入噴流とを切り替え可能に構成した噴流切替手段と、
前記便意誘発洗浄設定手段の設定により前記弛緩噴流と前記浸入噴流が周期的に繰り返されるよう前記給水制御手段および前記噴流切替手段を制御する制御器とを備え、
前記便意誘発洗浄設定手段が選択設定された場合、前記制御器は洗浄開始直後の浸入噴流は噴流切替の繰り返しで２回目以降に噴出される浸入噴流よりも水量を少なく設定したことを特徴とする人体局部洗浄装置。
【請求項２】
通常洗浄時の噴流と弛緩噴流の洗浄動圧の関係を弛緩噴流＜通常噴流＜浸入噴流とした請求項１記載の人体局部洗浄装置。
【請求項３】
噴流切替手段は弛緩噴流と浸入噴流の噴流形態を可変可能であるとともに、弛緩噴流と浸入噴流の洗浄面積の関係は弛緩噴流＞浸入噴流である請求項１記載の人体局部洗浄装置。
【請求項４】
便意誘発洗浄設定手段が選択設定された場合、制御器は弛緩噴流と浸入噴流の継続時間が異なるように制御を行う請求項１乃至３のいずれか１項記載の人体局部洗浄装置。
【請求項５】
繰り返し周期内における弛緩噴流の継続時間を２秒以上とした請求項４記載の人体局部洗浄装置。
【請求項６】
繰り返し周期内における弛緩噴流もしくは浸入噴流の少なくとも一方の継続時間を不規則に変化させた請求項４記載の人体局部洗浄装置。
【請求項７】
便意誘発洗浄設定手段が選択設定された場合、制御器は洗浄開始時の噴流が弛緩噴流となるよう噴流切替手段を制御した請求項１乃至６のいずれか１項記載の人体局部洗浄装置。
【請求項８】
便意誘発洗浄設定手段が選択設定された場合、制御器は洗浄開始時の噴流形態が浸入噴流となるよう噴流切替手段を制御した請求項３記載の人体局部洗浄装置。
【請求項９】
加熱手段は瞬間型の熱交換器であるとともに、制御器は弛緩噴流と浸入噴流の切替時刻に同期して供給される洗浄水の温度を可変制御する請求項１乃至８のいずれか１項記載の人体局部洗浄装置。
【発明の詳細な説明】
【０００１】
【発明の属する技術分野】
本発明は、使用者の便意を積極的に誘発せしめ、排便を促すことのできる人体局部洗浄装置に関する。
【０００２】
【従来の技術】
従来のこの種の人体局部洗浄装置を用いた温水洗浄装置の水路の構成図を図１５に、またここで用いられる洗浄ノズルの断面図を図１６に示す。同図において１は噴出口２を有する洗浄ノズル、３は洗浄水を加熱貯留する温水タンクであり、ヒータ４を内設している。５は洗浄水を供給する水ポンプ、６は元電磁弁である。洗浄ノズル１は絞り部７、噴出口２の両側に設けられた付着壁８、９と噴流の流出方向の両側に設けた一対の渦室１０、１１および渦室１０、１１内に設けられた吸気細孔１２、１３を有しており、流体発振素子型の洗浄ノズル１が構成されている。
【０００３】
この構成において、洗浄ノズル１に温水タンク３からの温水が流入すると、絞り部７を通過することによって流速が高められ、コアンダ効果（流体付着効果）によって例えば付着壁８側に付着し、矢印Ａの方向に噴出する。このとき洗浄水は渦室１０に流入し、渦流が発生することにより吸気細孔１２より空気が吸引されて渦室１０の圧力が上昇する。この圧力によって水流を付着壁９側に移動させるように作用し、矢印Ｂ側に噴出流が移動する。これらの動作が繰り返されることによって自己発振状態となり、噴流が揺動しながら洗浄が行われることとなる。このように水流が揺動することによって洗浄力が向上するとともに、洗浄時に肛門部にリズミカルな圧刺激が加えられて肛門反射が誘発される。
【０００４】
【発明が解決しようとする課題】
人体局部洗浄装置の洗浄水を利用して使用者に便意を感じさせるには、勢いよく噴出する洗浄水で肛門を物理的に刺激することで排便反射を誘発する方法と、洗浄水を肛門内に漏れ入らせることで人体の肛門内に存在する受容感覚器を刺激し、同じく排便反射を誘発する方法とがある。前者は動物実験、つまり除脳イヌや脊髄損傷イヌに機械的な肛門刺激を与えることによって結腸に大収縮が発生することによって確認されている。また、後者はいわば下痢の状態、もしくは浣腸液を注入した直後の状態を漏れ入らせた洗浄水によって模擬的に再現するもので、この状態においては強い便意が催されるとともに不随意筋である内肛門括約筋は弛緩してしまう。なお、これらのことは関連の学会等では周知の事実である。
【０００５】
上記のことをふまえると上記従来の構成では、洗浄水の圧刺激によりある程度の便意誘発効果はあるものの、洗浄水が常に既定の周期にて揺動するため肛門内に漏れ入ることはまれであり、洗浄水が肛門内に漏れ入ることによるいわば浣腸作用による便意の誘発は望めない。洗浄水の流量を増し、その洗浄動圧を増大させれば、洗浄水が肛門内に漏れ入りやすくなるが、一方で洗浄時の体感が悪化し、ひどい場合には痛感さえ伴う結果となる。このように、明確な便意誘発効果が望めないという課題があった。
【０００６】
本発明は上記課題を解決するもので、使用者が嫌悪感や痛感を感じることなく快適に使用できるとともに、非常に効果的に便意を誘発できる人体局部洗浄装置を提供する。
【０００７】
【課題を解決するための手段】
本発明は上記課題を達成するため、給水管と温水管が接続された温水タンクと、前記温水管に接続され洗浄対象に向けて洗浄水を噴出する吐出手段と、前記洗浄水の供給制御を行う給水制御手段と、通常の洗浄を選択設定する通常洗浄設定手段と、便意誘発洗浄を選択設定する便意誘発洗浄設定手段と、通常洗浄時の通常噴流と肛門の弛緩を促進する弛緩噴流および肛門内に浸入しやすい浸入噴流とを切り替え可能に構成した噴流切替手段と、前記便意誘発洗浄設定手段の設定により所定の便意誘発条件に基づいて前記給水制御手段および噴流切替手段の制御を行う制御器を設けた構成としてある。
【０００８】
【発明の実施の形態】
請求項１記載の人体局部洗浄装置は、給水管と温水管が接続された温水タンクと、前記温水管に接続され洗浄対象に向けて洗浄水を噴出する吐出手段と、前記洗浄水の供給制御を行う給水制御手段と、通常の洗浄を選択設定する通常洗浄設定手段と、便意誘発洗浄を選択設定する便意誘発洗浄設定手段と、通常洗浄時の通常噴流と肛門の弛緩を促進する弛緩噴流および肛門内に浸入しやすい浸入噴流とを切り替え可能に構成した噴流切替手段と、前記便意誘発洗浄設定手段の設定により前記弛緩噴流と前記浸入噴流が周期的に繰り返されるよう前記給水制御手段および前記噴流切替手段を制御する制御器とを備え、前記便意誘発洗浄設定手段が選択設定された場合、前記制御器は洗浄開始直後の浸入噴流は噴流切替の繰り返しで２回目以降に噴出される浸入噴流よりも水量を少なく設定したものである。
【０００９】
そして、制御器は便意誘発洗浄設定手段の設定により給水制御手段および噴流切替手段を的確に制御し、弛緩噴流と浸入噴流を周期的に繰り返して人体局部の洗浄を行うことで使用者の便意を積極的に誘発し、心地よい排便の補助をするものである。また、通常洗浄設定手段と便意誘発洗浄設定手段を備えているため、それぞれの場面において洗浄噴流を使い分けることが可能で使用者の使い勝手が向上するものである。そして、便意誘発洗浄設定手段が選択設定された場合、制御器が洗浄開始直後の浸入噴流は噴流切替の繰り返しで２回目以降に噴出される浸入噴流よりも水量を少なく設定したことにより、洗浄開始時に生じる肛門の緊張を防止し、肛門の弛緩をより促進する。
【００１０】
また、請求項２記載の人体局部洗浄装置は、請求項１記載の発明の構成に加え、通常洗浄時の噴流と弛緩噴流の洗浄動圧の関係を弛緩噴流＜通常噴流＜浸入噴流として構成するものである。
【００１１】
そして、弛緩噴流の弛緩効果をより高めるとともに、浸入噴流を肛門内に浸入しやすくするものである。さらに、弛緩噴流から浸入噴流に切り替わる際の洗浄動圧の変化が大きくなるため、効果的に肛門を刺激し便意誘発効果を高められる。
【００１２】
また、請求項３記載の人体局部洗浄装置は、請求項１記載の発明の構成に加え、噴流切替手段は弛緩噴流と浸入噴流の噴流形態を可変可能であるとともに、弛緩噴流と浸入噴流の洗浄面積の関係を弛緩噴流＞浸入噴流として構成するものである。
【００１３】
そして、広い面積を洗浄可能な弛緩噴流が肛門に過度の刺激を与えることなく、適度な刺激を与え弛緩効果をより向上させるとともに、浸入噴流は狭い面積に当たるため肛門内に浸入しやすく、より効果的に使用者の便意を誘発できるものである。
【００１４】
また、請求項４記載の人体局部洗浄装置は、請求項１乃至３のいずれか１項記載の発明の構成に加え、便意誘発洗浄設定手段が選択設定された場合、制御器は弛緩噴流と浸入噴流の継続時間を異ならせて構成するものである。そして、肛門の弛緩度合いおよび洗浄水の浸入度合いが大きな依存性を持つ各々の噴流の継続時間に柔軟に対応し、肛門の弛緩を効果的に促進するとともに、肛門内への水の浸入確率を向上させる。
【００１５】
また、請求項５記載の人体局部洗浄装置は、請求項４記載の発明の構成に加え、繰り返し周期内における弛緩噴流の継続時間を２秒以上として構成するものである。
【００１６】
そして、弛緩噴流が肛門を刺激する時間を十分にとることで、肛門弛緩をより確実に促進し、肛門内への水の浸入確率を向上させる。
【００１７】
また、請求項６記載の発明の人体局部洗浄装置は、請求項４記載の発明の構成に加え、繰り返し周期内における弛緩噴流もしくは浸入噴流の少なくとも一方の継続時間を不規則に変化させて構成するものである。
【００１８】
そして単調感をなくすとともに、弛緩した肛門に不意に浸入噴流を当てることで、肛門内への洗浄水の浸入確率を向上させる。
【００１９】
また、請求項７記載の人体局部洗浄装置は、請求項１乃至６のいずれか１項記載の発明の構成に加え、便意誘発洗浄設定手段が選択設定された場合、制御器は洗浄開始時の噴流が弛緩噴流となるよう噴流切替手段を制御して構成するものである。
【００２０】
そして、洗浄開始直後から肛門の弛緩を促進するとともに、いきなり強い噴流が当たることによって生じる肛門の緊張を防止するものである。
【００２１】
また、請求項８記載の人体局部洗浄装置は、請求項３記載の発明の構成に加え、便意誘発洗浄設定手段が選択設定された場合、制御器は洗浄開始時の噴流形態が浸入噴流となるよう噴流切替手段を制御して構成するものである。
【００２２】
そして、洗浄開始時に洗浄面積の狭い弛緩噴流を噴出させることで、使用者の洗浄位置あわせを容易にし、洗浄水が肛門に漏れ入る確率を向上させるものである。
【００２３】
また、請求項９記載の発明の人体局部洗浄装置は、請求項１乃至８記載の発明の構成に加え、加熱手段は瞬間型の熱交換器であるとともに、制御器は弛緩噴流と浸入噴流の切替時刻に連動して供給される洗浄水の温度を可変制御して構成するものである。
【００２４】
そして、弛緩噴流と浸入噴流の切替時に生じる刺激圧の変化と同調して洗浄水の温度を変化させることで、刺激感をさらに向上させ、より効果的に使用者の便意を誘発できる。
【００２５】
【実施例】
以下、本発明の実施例について図面を用いて説明する。
【００２６】
（実施例１）
図１は本発明の実施例１の人体局部洗浄装置の構成要素を示す図である。
【００２７】
図１において、給水管１４から供給された水は洗浄水の供給開始と供給停止を行う給水制御手段である元電磁弁１５と洗浄水の流量を調節する同じく給水制御手段であるとともに噴流強さを可変し、通常噴流、弛緩噴流、浸入噴流を切り替える噴流切替手段でもある流量調節弁１６を経て、温水タンク１７に至る。温水タンク１７は内部に貯留された水を適温に加熱する加熱手段であるヒータ１８と内部の温水温度を検出するサーミスタ１９を備えている。温水タンク１７の出口は温水管２０を介して洗浄ノズル２１に接続されており、また洗浄ノズル２１の先端部には吐出手段である噴出口２２が構成されている。
【００２８】
噴出口２２からの洗浄水吐出はリモコン２３の指示によりなされる。リモコン２３には通常の肛門洗浄を指示する通常洗浄設定手段のおしりスイッチ２４、女性局部の洗浄を指示するビデスイッチ２５、洗浄の停止を指示する停止スイッチ２６、便意誘発洗浄設定手段としての便意誘発スイッチ２７、洗浄水の流量や温度を可変する調節部２８等が設けてある。
【００２９】
また、リモコン２３からの無線信号の受信や図１で点線にて連絡を表現された構成要素の制御を行うとともに内部に便意誘発動作制御部２９を備えた制御器３０が設けられている。
【００３０】
なお図１においては、洗浄ノズル２１は肛門洗浄用のみを示しており、ビデ洗浄用の洗浄ノズルは類似構成で別設してあるが、ここでの説明は省略する。
【００３１】
図２は洗浄ノズル２１の上面図であり、説明のため一部断面表示してある。洗浄ノズル２１は内部に内部流路３１が設けてあり、噴出口２２に連通している。
【００３２】
噴出口２２は３つの丸穴で構成されており、ここから噴出される洗浄水は３本のシャワー状の噴流となる。
【００３３】
なお、便意が誘発されるメカニズムには洗浄水が肛門に与える物理的な刺激が排便反射を誘発する場合と、肛門内に漏れ入った洗浄水が肛門内に存在する受容器を刺激し同じく排便反射を誘発する場合があることは先述したとおりであるが、肛門にはその入り口を物理的に刺激してやると次第に弛緩してくる性質がある。
【００３４】
これは生まれて間もない子犬の母親がその肛門をなめて排便の手助けをする（肛門を刺激し排便反射を誘発するとともに肛門を弛緩させる）という日常的な事実や、排泄に障害を持つ方の排泄補助手法に摘便と呼ばれる方法があり、その摘便の際には指でノックして肛門を弛緩させてから（タッピングと呼ばれる）実際に便を掻き出すという事実からも明らかである。このように物理的な刺激で肛門が弛緩してくると、不快感なく比較的楽に噴流状態の洗浄水を肛門内に漏れ入らせることができる。その結果、痛感を感じるような強い水流を用いて不快な思いをしながら肛門内に洗浄水を漏れ入らせなくても、効果的に便意を誘発することが可能である。
【００３５】
次に本実施例１の動作について説明する。
【００３６】
まず、通常洗浄時の動作について述べる。使用者がリモコン２３のおしりスイッチ２４を操作し、通常洗浄開始の指示がなされると制御器３０は元電磁弁１５を開成し、リモコン２３の調節部２８によって指示される所定流量の水が温水タンク１７に供給されるよう、流量調節弁１６の開度を調節する。この動作により給水管１４から供給された水の圧力が温水タンク１７内において適温に加熱貯留された温水を温水管２０へと押し出す。そしてこの温水は洗浄ノズル２１内に設けた内部流路３１へと供給され、噴出口２２から使用者の肛門へと噴射される。
【００３７】
この際、洗浄水の流量は調節部２８を押すことで可変することができる。また、停止スイッチ２６が押され、洗浄停止の指示がされると、制御器３０は元電磁弁１５、流量調節弁１６を順次閉塞せしめ、待機状態へと移行する。なお、温水タンク１７内には制御器３０がサーミスタ１９の信号に基づいて、ヒータ１８を通電制御することで、適温の温水が保温貯留されている。
【００３８】
次に便意誘発洗浄時の動作について図３に基づいて説明する。図３は使用者がリモコン２３の便意誘発スイッチ２７を押し、便意誘発洗浄が開始された後の元電磁弁１５、流量調節弁１６の動作を表すタイムチャートである。図３に示すように洗浄開始の指示がなされると、制御器３０に備えた便意誘発動作制御部２９は元電磁弁１５を開成するとともに、流量調節弁１６を先述の通常洗浄時（図中点線）よりも小さい開度まで開成せしめる。この動作により温水タンク１７から供給される適温の洗浄水は温水管２０、内部流路３１を経て噴出口２２から噴出される。なお、このときの洗浄流量は通常洗浄時の約６割となるように流量調節弁１６の弁開度が設定されており、また、図２に示すように噴出口２２は３個の丸穴にて構成されているが、流量が少ないと３本の噴流が完全に独立しきれず、体感としては太い弱めの噴流が当たるような感覚となる。この噴流は使用者の肛門をソフトに刺激し、肛門の弛緩を促進する弛緩噴流としての働きをする。
【００３９】
この状態から所定時間が経過すると、便意誘発動作制御部２９は、流量調節弁１６を先述の通常洗浄時よりも大きな開度にて保持する。この動作により噴出口２２から噴出される洗浄水は大幅にその量を増し、使用者の肛門に向けて噴出される。なお、このときの洗浄流量は通常洗浄時の約５割増しとなるように設定した。この噴流は３本の細い噴流の集まりであるため、流量を増大させると各々の噴流が完全に独立し、各々が強めの集中噴流となる。この３本の集中噴流は細くて動圧が高いため、洗浄時に肛門内に漏れ入りやすく、浸入噴流としての働きをする。また、このとき当然のことではあるが、流量の関係は浸入噴流＞通常噴流＞弛緩噴流であるため、これらの洗浄動圧の関係も同様に浸入噴流＞通常噴流＞弛緩噴流となっている。
【００４０】
制御器３０に備えた便意誘発動作制御部２９は図３に示すとおり弛緩噴流と浸入噴流を所定周期にて繰り返す制御を行う。ここでの所定周期は弛緩噴流４秒、浸入噴流６秒の１０秒周期とした。これはモニタ実験の結果で得られた結果から、肛門は弛緩噴流が当たり始めて２〜４秒程度の時間が経過してから弛緩が進行してくるという使用者の申告実態に基づくものである。この結果、弛緩噴流で弛緩が促進された肛門に、浸入噴流が当たるため、洗浄水が肛門の中に漏れ入りやすく、使用者の便意が効果的に誘発される。これは実際に行った実験においても、浸入噴流のみでの洗浄より、弛緩噴流と組み合わせた方が肛門に洗浄水が漏れ入る確率が高く、体感にも優れるという結果が得られており、便意誘発に非常に有効であるといえる。
【００４１】
また弛緩噴流である少流量の噴流で洗浄を開始する事で、使用者の肛門のよけいな緊張を防止し、快適な便意誘発洗浄が行えるよう配慮してある。これは肛門に過度の刺激が加えられると、使用者自身の精神状態が交感神経優位の状態、つまり緊張状態になるとともに、交感神経優位の状態では肛門も緊張し、弛緩が促進されないという事実に基づく。
【００４２】
（実施例２）
図５は本発明の実施例２の人体局部洗浄装置を示す構成図である。
【００４３】
図５において、給水管３２から供給された水は洗浄水の供給開始と供給停止を行う給水制御手段である元電磁弁３３と洗浄水の流量を調節する同じく給水制御手段である流量調節弁３４を経て、加熱手段である温水タンク３５に至る。温水タンク３５は内部に貯留された水を適温に加熱するヒータ３６と内部の温水温度を検出するサーミスタ３７を備えている。温水タンク３５の出口に接続されている温水管３８は２方向に分岐しており、それぞれ噴流切替手段である切替電磁弁３９、４０を介してノズルユニット４１に設けた第１内部流路４２、第２内部流路４３に各々接続されている。第１内部流路４２の先端には吐出手段である第１噴出口４４が、第２内部流路の先端には同じく吐出手段である第２噴出口４５が構成されている。
【００４４】
第１噴出口４４および第２噴出口４５からの洗浄水吐出の指示はリモコン４６からなされる。リモコン４６には通常の肛門洗浄を指示するおしりスイッチ４７、女性局部の洗浄を指示するビデスイッチ４８、洗浄の停止を指示する停止スイッチ４９、便意誘発洗浄設定手段としての便意誘発スイッチ５０、洗浄水の流量や温度を可変する調節部５１等が設けてある。
【００４５】
また、リモコン４６からの無線信号の受信や図５で点線にて連絡を表現された構成要素の制御を行うとともに内部に便意誘発動作制御部５２を備えた制御器５３が設けられている。
【００４６】
なお図５においては、ノズルユニット４１は肛門洗浄用のみを示しており、ビデ洗浄用のノズルユニットは類似構成で別設してあるが、ここでの説明は省略する。
【００４７】
図６はノズルユニット４１の上面図であり、説明のため一部断面表示してある。ノズルユニット４１には内部に第１内部流路４２と第２内部流路４３が設けてあり、それぞれ第１噴出口４４、第２噴出口４５に接続されている。第１噴出口４４は１個の丸穴形状をしており、ここから噴出される洗浄水は１本のスポット的な噴流となる。また、第２噴出口４５は複数の丸穴が同一円周上に規則的に配置された構成となっており、ここから噴出される噴流は細い水流が束になったシャワー状のものとなる。つまり、洗浄水を第１噴出口４４から噴出させるか、第２噴出口４５から噴出させるかを選択することで、スポット的で肛門に浸入させるのに適した浸入噴流とシャワー状で肛門をソフトに刺激し弛緩を促進させる弛緩噴流の切替選択ができる構成となっている。当然のことながら、洗浄面積は浸入噴流より弛緩噴流の方が広くなっている。
【００４８】
次に本実施例２の動作について説明する。
【００４９】
まず、通常洗浄時の動作について述べる。使用者がリモコン４６のおしりスイッチ４７を操作し、通常洗浄開始の指示がなされると、制御器５３は切替電磁弁３９および４０を開成せしめるのとほぼ同時に元電磁弁３３を開成する。そしてさらに、リモコン４６の調節部５１によって指示される所定流量の水が温水タンク３５に供給されるよう、流量調節弁３４の開度を調節する。この動作により給水管３２から供給された水の圧力により、温水タンク３５内において適温に加熱貯留された温水が温水管３８、切替電磁弁３９、４０を経てノズルユニット４１へと供給される。この温水は第１内部流路４２、第２内部流路４３を経て、第１噴出口４４および第２噴出口４５の両方から使用者の肛門へと噴射される。この際、洗浄水の流量は調節部５１を押すことで可変可能である。また、停止スイッチ４９が押され、洗浄停止の指示がされると、制御器５３は元電磁弁３３、流量調節弁３４、切替電磁弁３９、４０を順次閉塞せしめ、待機状態へと移行する。なお、温水タンク３５内には制御器５３がサーミスタ３７の信号に基づいてヒータ３６を通電制御し適温の温水が保温貯留されている。
【００５０】
次に便意誘発洗浄時の動作について図７に基づいて説明する。図７は使用者がリモコン４６の便意誘発スイッチ５０を押し、洗浄が開始された後の元電磁弁３３、流量調節弁３４、切替電磁弁３９、４０の動作を示すタイムチャートである。
【００５１】
図７に示すように洗浄開始の指示がなされると、制御器５３に備えた便意誘発動作制御部５２は切替電磁弁３９を開成せしめるのとほぼ同時に元電磁弁３３を開成し、また、流量調節弁３４の開度をリモコン４６の調節部５１によって指示される所定開度まで開成せしめる。この動作により温水タンク３５から供給される適温の洗浄水は切替電磁弁３９から第１内部流路４２を経て第１噴出口４４から噴出される。ここで第１噴出口４４は図６に示すとおり１個の丸穴で構成されているため、噴出される噴流は１本のスポット的なもので、形態としては浸入噴流となっている。しかしながら、洗浄開始直後に過度の刺激を与えることで、肛門が緊張してしまうのを防止するため、流量を少なめに設定し、洗浄動圧を低く抑えてある。この弱めの集中噴流は使用者が洗浄位置を合わせやすくするための配慮であり、これは肛門付近に当たる洗浄水の位置認識に関して、人はさほど正確でないというモニタ実験の結果に基づくものである。
【００５２】
次にこの状態から所定時間が経過すると、便意誘発動作制御部５２は、切替電磁弁３９を閉止するとともに切替電磁弁４０を開成せしめ、さらに流量調節弁３４の開度が所定値になるよう調節する。この動作により温水タンク３５から供給される洗浄水は切替電磁弁４０から第２内部流路４３を経て第２噴出口４５から噴出される。なお、このときの洗浄流量は通常洗浄時の約７割となるように流量調節弁３４の弁開度が設定されており、また、図６で示すように第２噴出口２７は複数の丸穴が同一円周上に規則的に並んだ構成となっているため、噴流は弱めのシャワー状の噴流となる。このシャワー状の噴流は使用者の肛門を柔らかく刺激し、肛門の弛緩を促進する弛緩噴流としての働きをする。
【００５３】
さらにこの状態から所定時間が経過すると、便意誘発動作制御部５２は、再び切替電磁弁４０を閉止、切替電磁弁３９を開成の状態とするとともに、流量調節弁３４の開度が所定値となるよう調節する。この動作により温水タンク３５から供給される洗浄水は再び第１噴出口４４から噴出されることとなる。なお、このときの洗浄流量は通常洗浄時の約２割増しとなるように設定されており、また、第１噴出口４４は１個の丸穴で構成されているため、噴流は強めの集中噴流となる。この集中噴流は細くて動圧が高いため、洗浄時に肛門内に漏れ入りやすく、浸入噴流としての働きをする。
【００５４】
このように制御器３５に備えた便意誘発動作制御部５２は図７に示すとおり、まず切替電磁弁３９を開成し第１噴出口４４から流量を低く設定した弱めの浸入噴流を噴出せしめた後、切替電磁弁４０を開成する事で第２噴出口４５から噴出される弛緩噴流と、切替電磁弁３９を開成する事で第１噴出口４４から供給される浸入噴流を所定周期にて繰り返すよう制御を行う。
【００５５】
なお、ここでも弛緩噴流と浸入噴流の切替を弛緩噴流４秒、浸入噴流６秒の１０秒周期とした。この結果、弛緩噴流で緊張を解きほぐされた肛門に、不意に浸入噴流が当たるため、洗浄水が肛門の中に漏れ入りやすく、使用者の便意が効果的に誘発される。特にここでは弛緩噴流と浸入噴流を各々異なる形態とするとともに、その洗浄面積の関係を弛緩噴流＞浸入噴流としたことで、弛緩噴流の弛緩効果をより向上できるとともに、浸入噴流はより肛門内に浸入しやすいものとなっている。また、集中した浸入噴流を洗浄開始直後に噴出することで洗浄位置あわせが容易となり、洗浄水が肛門内に漏れ入る確率を大幅に向上できるとともに、その浸入噴流の流量を低く設定することで、洗浄開始直後の肛門の緊張を防止し、より効果的に便意の誘発が可能な構成となっている。
【００５６】
（実施例３）
本発明の第３の実施例について説明する。本実施例３は実施例２と構成および通常洗浄時の動作は同一であるため、その説明を省略し、一部動作の異なる便意誘発洗浄について図５および図８を用いて説明する。
【００５７】
本実施例３が上記実施例２と異なるのは、図８で明らかなように、第２噴出口から噴出される弛緩噴流と第１噴出口４４から噴出される浸入噴流の繰り返し周期内において、浸入噴流の継続時間を一定とし、弛緩噴流の継続時間を不規則に変化させた点である。これは制御器５３に設けた便意誘発動作制御部５２が流量調節弁３４の開度を浸入噴流時の所定値に、また切替電磁弁４０を開成の状態に保持する時間を不規則に変化させることで実現される。
【００５８】
なお、ここでの浸入噴流の継続時間は４秒、弛緩噴流の継続時間は２秒から８秒の不規則な値に設定した。この結果、弛緩噴流で弛緩が促進された肛門に浸入噴流が当たるため、洗浄水が肛門の中に漏れ入りやすく、使用者の便意が効果的に誘発される。特にここでは、弛緩噴流の継続時間が一定でないため、使用者は浸入噴流がどのタイミングで噴出されるか予想できず、洗浄水が肛門内に浸入する確率を向上させることが可能である。また、単調感をなくし快適な便意誘発のための洗浄が行えるものである。
【００５９】
なお、本実施例においては浸入噴流の継続時間は一定としたが、これを不規則に可変したり、もしくは弛緩噴流、浸入噴流ともに継続時間を不規則に可変する事も考えられる。
【００６０】
（実施例４）
図９は本発明の実施例４における人体局部洗浄装置を用いた温水洗浄便座の構成図を示す。
【００６１】
図９において給水管５４から供給された水は、洗浄水の供給開始と停止を行う給水制御手段である元電磁弁５５と、洗浄水中の残留塩素を除去するフィルター５６、洗浄水の流量を調節する給水制御手段である流量調節弁５７、また、水の流量を検出する流量センサ５８を経て、瞬間型の加熱手段である熱交換器５９に至る。ここでいう瞬間型の加熱手段とは熱交換器５９に流れ込んだ水をその出口に至るまでに適温にまで加熱可能な構成であることをいう。熱交換器５９には温度の異常上昇を検出し通電を絶つハイリミットスイッチ６０が、またその出口近傍の温水管６１には洗浄水の温度を検出する温水サーミスタ６２と温水管６１を２つの流路に分岐するとともにそのいずれか一方を選択的に開成可能なモータ駆動の三方弁８６が設けてある。この三方弁８６の２次側流路は一方がノズルユニット６３に接続され、もう一方は供給された洗浄水を便器（図示せず）内に吐水する便器洗浄ノズル８７に接続される。
【００６２】
ノズルユニット６３は先端部に吐出手段である洗浄ノズル６４が構成してあるとともに、前後駆動モータ６５により突出や引き込みが制御される形式のものである。また、ノズルユニット６３と熱交換器５９の間には、噴流切替手段である空気ポンプ６６が空気管６７を介して接続されている。そして洗浄ノズル６４から噴出された温水は、便座６８に着座した使用者の局部を洗浄するために利用される。なお、便座６８には使用者の着座を検出する着座スイッチ６９が設けられている。
【００６３】
洗浄ノズル６４からの温水吐出の指示はリモコン７０からなされる。リモコン７０には通常の肛門洗浄を設定するおしりスイッチ７１、ビデ洗浄スイッチ７２、洗浄の停止スイッチ７３、流量と温度の調節部７４、便意誘発洗浄設定手段である便意誘発スイッチ７５等が設けられている。
【００６４】
また、リモコン７０からの無線信号の受信や図９で点線にて連絡を表現された構成要素の制御を行うとともに内部に便意誘発動作制御部７６を備えた制御器７７が設けられている。
【００６５】
また、熱交換器５９はセラミックヒータ７８の両側に蛇行した水路７９を設けた構成となっており、セラミックヒータ７８が通電され昇温するとその熱が水路７９を流れる水に伝わり温水を作り出す仕組みとなっている。
【００６６】
なお、図９においては、ノズルユニット６３は肛門用のみを示しているが、ビデ洗浄用のノズルユニットは類似構成にて別設してあり、図面上での表現は省略してある。
【００６７】
図１０、図１１に洗浄ノズル６４の詳細を、また図１２、図１３に洗浄噴流の形状のイメージ図を示す。
【００６８】
図１０は洗浄ノズル６４を上部から見た上面図であり、図１１は側面から見た切り欠き断面図である。また、図１１は空気混入時の噴流のイメージ図、図１２は空気を混入しないときの噴流のイメージ図を示す。図１１に示すように洗浄ノズル６４内の流路はノズルユニット６３に形成された流路８０から、洗浄ノズル内の流路８１、８２に至るに従って流路断面積が次第に減り、ノズル口８３近傍で平行部８４を経て、拡大部８５でややラッパ状に拡大する構成となっている。
【００６９】
この構成により空気混入時の洗浄噴流（以下「空気混入噴流」と記す）は、空気混入と拡大部８５の作用により、図１２に示すとおり洗浄水が比較的広い範囲に揺動された状態で人体局部に供給される。また、空気の混入を止めた際の洗浄噴流（以下「直噴流」と記す）は図１３に示すとおり平行部８４の作用により直噴状態で比較的狭い範囲にスポット的に吐出される。
【００７０】
次にこの実施例の動作について説明する。
【００７１】
まず、通常洗浄時の動作について述べる。使用者が便座６８に着座した状態でおしりスイッチ７１が操作され、通常洗浄が指示されると、制御器７７は三方弁８６を制御し便器洗浄ノズル８７側の流路を開成せしめる。そして元電磁弁５５を開成後、流量調節弁５７を所定開度まで開成し、流量センサ５８の信号を取り込む。ここで流量センサ５８からの流量読み込み信号が１００ｃｃ／ｍｉｎ以上であれば熱交換器５９内に通水があると判断し、熱交換器５９に設けたセラミックヒータ７８への通電を開始し、洗浄水の加熱を行う。そしてリモコン７０の調節部７４によって設定された所定の流量値になるように流量調節弁５７を制御するとともに、温水サーミスタ６２からの温水温度信号を読み込み、所定の温水温度になるようセラミックヒータ７８への通電量を可変する。そしてさらに、温水の温度が所定の値となったところで前後駆動モータ６５を駆動して洗浄ノズル６４を所定位置まで突出させるとともに、三方弁８６を制御しノズルユニット６３側の流路を開成せしめ、温水を洗浄ノズル６４へと導く。またそれと同時に空気ポンプ６６を駆動し、洗浄水中に空気を混入せしめる。
【００７２】
流量調節弁５７で流量を調節され、熱交換器５９にて適温に加熱された洗浄水は、空気ポンプ６６から空気管６７を介して空気が混入された後、ノズルユニット６３に至り、洗浄ノズル６４から人体局部に吐出される。ここでの洗浄噴流は先述した空気混入噴流であるため、人体局部の比較的広い範囲を揺動して洗浄する。そして、空気の混入によるノズル口８３部における噴出速度の向上と、混入された空気のはじける効果により従来の温水だけで洗浄する場合と比較して洗浄効果や使用者の体感を損なうことなく、流量が半分以下で洗浄できる。
【００７３】
また、瞬間型の熱交換器５９を用いることにより、従来の貯湯式の加熱手段と比較して、貯湯時の放熱ロスがなくなることと、洗浄水の流量が半分ですむことから、大幅な電力使用量の削減が可能となる。さらに洗浄開始の指示がされてから適温の温水が供給されるまでの時間は便器洗浄ノズル８７側に洗浄水を流す構成としてあるので、実際に洗浄水が肛門に当たるときには適温の温水が噴出され、快適性が損なわれることが防げる。
【００７４】
また、水道水中に含まれ、肛門掻痒症の原因とも言われる残留塩素がフィルター５６によって除去されるため、長時間の洗浄を行っても人体局部に悪影響を及ぼさないように考慮されている。これはさらに、従来の貯湯式の人体局部洗浄装置では、温水タンク内に温水を加熱貯留する構成のため、残留塩素を除去してしまうことにより温水タンク内に雑菌が繁殖し、かえって人体局部に悪影響を及ぼしかねないが、ここでは瞬間式の熱交換器５９を採用しているので、このような心配もない。なお、ここではフィルター５６は活性炭を用いて構成したが、これ以外にイオン交換樹脂、チオ硫酸ナトリウムや亜硫酸カルシウム等の薬品、タングステンやチタン、モリブデン系の触媒を用いた構成も考えられる。
【００７５】
次に、便意誘発洗浄時の動作について述べる。
【００７６】
次に便意誘発洗浄時の動作について図１４に基づいて説明する。図１４は使用者がリモコン７０の便意誘発スイッチ７５を押し、便意誘発洗浄の開始が指示された際の元電磁弁５５、流量調節弁５７、空気ポンプ６６の動作を示すタイムチャートである。なお、洗浄開始から洗浄ノズル６４が突出し、さらに三方弁８６によってノズルユニット６３側の流路が開成されるまでの各構成要素の動作は、通常洗浄時とほぼ同様であるので図１３では洗浄ノズル６４突出後の動作を中心に示す。
【００７７】
図１４において、洗浄開始の指示がなされた後、洗浄ノズル６４が突出し、さらに三方弁８６によってノズルユニット６３側の流路が開成されると、制御器７７に備えた便意誘発動作制御部７６は所定時間その状態を保持した後、空気ポンプ４９を所定周期、所定電圧でＯＮ−ＯＦＦさせる。そしてさらに、空気ポンプ６６がＯＮの際には流量調節弁５７を所定開度にて保持し、また、空気ポンプ６６のＯＦＦに同期して流量調節弁５７を大きく開成せしめる。ここでは、空気ポンプ６６がＯＮの際には洗浄水の流量が通常洗浄時と同じになるよう、またＯＦＦの際には洗浄水の流量が通常洗浄時の約２倍となるよう流量調節弁５７の開度を設定してある。また空気ポンプ６６が洗浄水中に送り込む空気の量は通常洗浄時の約８割の量となるようその印可電圧を設定してある。但し、三方弁８６によってノズルユニット６３側の流路が開成された直後の流量調節弁５７の開度は、通常洗浄時と同等か若干少なくなる設定としてある。これは流量を少なめに抑えた直噴流を噴出させることで、使用者の洗浄位置あわせを容易にするための配慮である。
【００７８】
また、空気混入噴流が噴出されている際、つまり空気ポンプ６６がＯＮになっている状態のとき、制御器７７はセラミックヒータ７８への通電量を可変し、比較的ぬるめ（３７℃）の温水を供給せしめる。そして直噴流に切り替わる直前に、つまり空気ポンプ６６をＯＦＦする直前に、セラミックヒータ７８への通電量を増加させ、直噴流の噴出開始時の温水温度が高め（４０℃）となるよう制御を行う。
【００７９】
このことにより、本実施例４における空気混入噴流は通常洗浄時より刺激が少なくしかもぬるめの温水の設定になっており、これは肛門を柔らかな水流でソフトに刺激し、またぬるめの温水で肛門をリラックスさせ、肛門の弛緩を促進するのに有効である。さらにまた、空気の混入を止めた直噴流は、流量が大幅に増加しているため比較的強めの集中噴流となっており、肛門に漏れ入らせるのに適している。また、直噴流の噴出開始時には熱めの温水が噴出されるため、肛門に温度刺激を与え、便意を誘発する効果もある。
【００８０】
なお、本実施例４における空気混入噴流と直噴流の繰り返しの周期は、空気混入噴流２秒、直噴流６秒の８秒周期とした。この結果、空気混入噴流で弛緩が促進された肛門に、不意に集中した噴流が当たるため、洗浄水が肛門の中に漏れ入りやすく、使用者の便意が効果的に誘発される。また、瞬間式の熱交換器５９を採用したことで、連続して長時間の洗浄が可能であることも便意を誘発するのに大きく寄与する。つまり洗浄を長時間続けることで肛門の弛緩がより促進され、洗浄水が肛門内に漏れ入りやすくなるとともに、連続して排便反射を誘発することで、より腸管の蠕動運動を活発化させることができる。また、瞬間式の熱交換器５９は自身の熱容量が小さいため供給する温水温度をすばやく可変することも可能で、温度刺激を肛門に与えることができる。
【００８１】
なお、本実施例４における直噴流吐出の際には、洗浄水の流量が大幅に変化しているため、制御器７７はセラミックヒータ７８の通電量を大きく変化させ適温の洗浄水が得られるように制御を行う。しかしながら冬季、入水温度が極端に低く、設定流量の水を沸かし上げるのに能力不足が生じた場合には流量調節弁５７を制御し、適温まで沸き上げ可能なところまでその流量を絞る制御を行う。
【００８２】
（実施例５）
本発明の第５の実施例について説明する。本実施例５は実施例４と構成および通常洗浄時の動作は同一であるため、その説明を省略し、一部動作の異なる便意誘発洗浄時について図１４を用いて説明する。
【００８３】
図１５は使用者がリモコン７０の便意誘発スイッチ７５を押し、便意誘発洗浄が開始された際の元電磁弁５５、流量調節弁５７、空気ポンプ６６の動作を示すタイムチャートである。
【００８４】
図１５において洗浄開始の指示がなされると制御器７７は便器洗浄ノズル８７側の流路を開成せしめるとともに元電磁弁５５を開成し、流量調節弁５７を所定開度まで開成する。また、洗浄水の温度が所定値に至ると洗浄ノズル４５を吐出せしめた後、ノズルユニット６３側の流路を開成せしめ、所定時間その状態を保持する。そして所定時間経過後、空気ポンプ６６を所定電圧にて起動せしめるが、ここで制御器７７に備えた便意誘発動作制御部７６は流量調節弁５７を制御し、所定周期で洗浄水量が増減するようにその開度を２段階に調節する。また、この流量調節弁３９の開度調節に同期して、空気ポンプ６６に印可する電圧を同じく２段階に可変する。図１４でも明らかであるが、流量調節弁５７の開度が小さいときには空気ポンプ６６に印可する電圧を高く、逆に流量調節弁５７の開度が大きいときには空気ポンプ６６に印可する電圧を低く設定してある。ここでは、流量調節弁５７の開度が小さいときは洗浄水の流量が通常洗浄と同じになるようにその開度を設定し、空気ポンプ６６に印可する電圧はその送り込む空気量が通常洗浄時の約８割の値となるよう設定してある。また、流量調節弁５７の開度が大きいときは洗浄水の流量が通常洗浄時の約１．５倍となるようその開度を設定し、空気ポンプ６６に印可する電圧はその送り込む空気量が通常洗浄時の約２割の値となるよう設定してある。
【００８５】
これらの動作により、洗浄ノズル６４から噴出される洗浄噴流はその流量が所定周期で変わるため、使用者の体感も大きく変化し、肛門に間欠的な刺激を与える。流量調節弁５７の開度が小さいときは実施例３の空気混入噴流と同一の噴流が得られ、通常洗浄時と比較して肛門を柔らかな水流でソフトに刺激し、肛門の弛緩を促進するのに有効である。また、流量調節弁５７の開度が大きいときは、開度が小さい場合と比較して洗浄水中に混入される空気の割合がずいぶんと小さくなるため、噴流は実施例３の直噴流が少し太った形の直噴流となる。これは空気量の減少に伴い、そのはじける作用も大幅に小さくなるためで、空気混入噴流のように広く拡散することがない。しかしながら、少量でも空気が混入されると、洗浄水の見かけ上の体積が増大したことになり、ノズル口８３から噴出される洗浄水の流速はその見合い分だけ向上する。そのため、使用者は洗浄水の流量が同じであれば少量の空気を混入した方が強く感じるとともに、洗浄噴流が少し太くなることで体感が向上する。そのため、洗浄水の流量を少なくしても肛門内に漏れ入らせるのに十分であるとともに体感に優れた噴流を得ることが可能となる。
【００８６】
なお、本実施例５においても空気混入噴流と直噴流の繰り返しの周期を、空気混入噴流２秒、直噴流６秒の８秒周期とした。この結果、空気混入噴流で弛緩が促進された肛門に、不意に少量の空気が混入された集中噴流が当たるため、洗浄水が肛門の中に漏れ入りやすく、使用者の便意が効果的に誘発される。また、本実施例４では集中噴流も少量ではあるが空気が混入されているため、体感に優れるとともに、空気を混入しない場合と比較して少量の洗浄水で肛門内に洗浄水を浸入させることができる。
【００８７】
【発明の効果】
以上説明したように本発明の人体局部洗浄装置によれば次のような効果が得られる。
【００８８】
（１）便意誘発洗浄設定手段の設定に従って加熱手段や給水制御手段を的確に制御することで、便意誘発に適した洗浄噴流にて人体局部の洗浄を行うことができ、その結果使用者の便意を積極的に誘発し心地よい排便の補助ができる。また、通常洗浄設定手段と便意誘発洗浄設定手段を備えているため、それぞれ場面によって洗浄噴流を使い分けることが可能で使用者の使い勝手が向上する。そして、便意誘発洗浄設定手段が選択設定された場合、制御器が洗浄開始直後の浸入噴流は噴流切替の繰り返しで２回目以降に噴出される浸入噴流よりも水量を少なく設定したことにより、洗浄開始時に生じる肛門の緊張を防止し、肛門の弛緩をより促進できる。
【００８９】
（２）噴流の洗浄動圧の関係が弛緩噴流＜通常噴流＜弛緩噴流となっているので、弛緩噴流の弛緩効果がより高まるとともに、浸入噴流が肛門内に浸入しやすくなる。また、弛緩噴流から浸入噴流に切り替わる際の洗浄動圧の変化が大きくなり、効果的に肛門を刺激し便意誘発効果を高められる。
【００９０】
（３）噴流切替手段が弛緩噴流と浸入噴流の形態を可変できる構成であるとともに、洗浄面積の関係を弛緩噴流＞浸入噴流としたので、広い面積を洗浄可能な弛緩噴流が肛門に適度な刺激を与え弛緩効果をより向上させるとともに、浸入噴流は狭い面積に当たるため肛門内に浸入しやすく、より効果的に使用者の便意を誘発できる。
【００９１】
（４）繰り返し周期内における弛緩噴流と浸入噴流の継続時間を各々設定する構成としたので、肛門の弛緩度合いおよび洗浄水の浸入度合いが大きな依存性を持つ各々の噴流の継続時間に柔軟に対応し、肛門の弛緩を効果的に促進するとともに、肛門内への水の浸入確率を向上できる。
【００９２】
（５）繰り返し周期内における弛緩噴流の継続時間を２秒以上とすることで、使用者の肛門弛緩をより促進でき、結果として効果的に使用者の便意を誘発できる。
【００９３】
（６）繰り返し周期内における弛緩噴流もしくは浸入噴流の少なくとも一方の継続時間を不規則に変化させることで、単調感をなくすとともに、不意をついて浸入噴流を当てることで、肛門内への洗浄水の浸入確率を向上させ、より効果的に使用者の便意が誘発できる。
【００９４】
（７）便意誘発洗浄設定手段が選択設定された場合、弛緩噴流で洗浄を開始することで、洗浄開始直後から肛門の弛緩を促進するとともに、いきなり強い噴流が当たることによって生じる肛門の緊張を防止できる。
【００９５】
（８）便意誘発洗浄設定手段が選択設定された場合、洗浄開始時の噴流形態を浸入噴流とすることで、洗浄開始時の洗浄面積の狭いものとなることから、使用者の洗浄位置あわせを容易にし、洗浄水が肛門に漏れ入る確率が向上できる。
【００９６】
（９）加熱手段を瞬間型の熱交換器とし、弛緩噴流と浸入噴流の切替時刻に連動して供給される洗浄水の温度を可変制御することで、弛緩噴流と浸入噴流の切替時に生じる刺激圧の変化に加えて洗浄水の温度変化による刺激を肛門に与え、より効果的に使用者の便意を誘発できる。
【図面の簡単な説明】
【図１】  本発明の実施例１の人体局部洗浄装置の構成要素を示す図
【図２】  同ノズルユニットの一部切欠の上面図
【図３】  同構成要素の動作を示すタイムチャート
【図４】  弛緩噴流による洗浄時間と肛門弛緩の関係を示すグラフ
【図５】  本発明の実施例２における人体局部洗浄装置の構成要素を示す図
【図６】  同実施例２におけるノズルユニットの上面図
【図７】  本発明の実施例２における構成要素の動作を示すタイムチャート
【図８】  本発明の実施例３における構成要素の動作を示すタイムチャート
【図９】  本発明の実施例４における人体局部洗浄装置、便座を示す図
【図１０】  同実施例４における洗浄ノズルの上面図
【図１１】  同実施例４における洗浄ノズルを側面から見た切り欠き断面図
【図１２】  同実施例４における空気混入流のイメージ図
【図１３】  同実施例４における直噴流のイメージ図
【図１４】  同実施例４における構成要素の動作を示すタイムチャート
【図１５】  本発明の実施例５における構成要素の動作を示すタイムチャート
【図１６】  従来の人体局部洗浄装置の水路を示す構成図
【図１７】  同洗浄ノズルの側面断面図
【符号の説明】
１４、３２、５４  給水管
１５、３３、５５  元電磁弁（給水制御手段）
１６、３４、５７  流量調節弁（給水制御手段、噴流切替手段）
１７、３５  温水タンク
１８、３６  ヒータ（加熱手段）
２０、３８、６１  温水管
２２  噴出口（吐出手段）
２４、４７、７１  おしりスイッチ（通常洗浄設定手段）
２７、５０、７５  便意誘発スイッチ（便意誘発洗浄設定手段）
３０、５３、７７  制御器
４４  第１噴出口（吐出手段）
４５  第２噴出口（吐出手段）
５９  熱交換器（加熱手段）
６４  洗浄ノズル（吐出手段）
６５  空気ポンプ（噴流切替手段）
【図１】
0004399875.tif 000002
【図２】
0004399875.tif 000003
【図３】
0004399875.tif 000004
【図４】
0004399875.tif 000005
【図５】
0004399875.tif 000006
【図６】
0004399875.tif 000007
【図７】
0004399875.tif 000008
【図８】
0004399875.tif 000009
【図９】
0004399875.tif 000010
【図１０】
0004399875.tif 000011
【図１１】
0004399875.tif 000012
【図１２】
0004399875.tif 000013
【図１３】
0004399875.tif 000014
【図１４】
0004399875.tif 000015
【図１５】
0004399875.tif 000016
【図１６】
0004399875.tif 000017
【図１７】
0004399875.tif 000018